(57)【要約】【課題】ラケットによる打球時の飛び性能を向上し、且つ、良好な打球感を得られるようにすること。【解決手段】ラケット（１０）のフレーム（２０）に形成された貫通孔（２３）に貫通して装着されてストリング（２１）が通過する筒部（３２）を備えてグロメット（２５〜２８）が構成される。ストリングは、フレームに張設された状態で筒部の一端側を折り返し位置（Ｆ）として折り返される。筒部は、その外周面の中心軸位置（Ｃｂ）に対して折り返し位置側に位置する第１形成部（３５）と、中心軸位置を挟んで第１形成部と反対側に位置する第２形成部（３６）とを備えている。第１形成部は、第２形成部より筒部の径方向の厚みが大きく形成される。【選択図】図３
2020141994.tif 000002
【特許請求の範囲】
【請求項１】
ラケットのフレームに形成された孔に貫通して装着されてストリングが通過する筒部を備えたグロメットにおいて、
前記ストリングは、前記フレームに張設された状態で、前記筒部の一端側を折り返し位置として折り返され、
前記筒部は、その外周面の中心軸位置に対して前記折り返し位置側に位置する第１形成部と、前記中心軸位置を挟んで前記第１形成部と反対側に位置する第２形成部とを備え、
前記第１形成部は、前記第２形成部より前記筒部の径方向の厚みが大きく形成されることを特徴とするグロメット。
【請求項２】
前記筒部は、その中心軸の延出方向から見て、内周及び外周を円形に形成しつつ、該内周の中心軸位置を該外周の中心軸位置より前記折り返し位置と反対側に配置することで、前記第１形成部及び前記第２形成部を形成することを特徴とする請求項１に記載のグロメット。
【請求項３】
前記第１形成部と前記第２形成部とが異なる材質で構成されることを特徴とする請求項１または請求項２に記載のグロメット。
【請求項４】
前記第１形成部と前記第２形成部とで前記筒部の軸線方向長さが異なって形成されることを特徴とする請求項１ないし請求項３のいずれかに記載のグロメット。
【請求項５】
前記筒部を複数として当該複数の筒部を連結しつつ所定方向に延在する帯状部を更に備え、
複数の前記筒部における前記第１形成部及び前記第２形成部の形成位置は、前記帯状部の延在方向にて交互に異なることを特徴とする請求項１ないし請求項４のいずれかに記載のグロメット。
【請求項６】
前記筒部を複数備えた前記請求項１ないし請求項５のいずれかに記載のグロメットと、
前記ストリングが縦方向及び横方向に張設されるフレームとを備えたラケットであって、
前記フレームに形成された孔に前記筒部を貫通して前記グロメットが前記フレームに装着され、複数の前記筒部に前記ストリングが通過して張設されることを特徴とするラケット。
【請求項７】
複数の前記筒部のうち、縦方向に張設される前記ストリングが挿通される前記筒部に対し、前記第１形成部及び前記第２形成部が形成されることを特徴とする請求項６に記載のラケット。
【請求項８】
前記フレームの中央領域を通過する前記ストリングが挿通される前記筒部に対し、前記第１形成部及び前記第２形成部が形成されることを特徴とする請求項７に記載のラケット。
【発明の詳細な説明】
【技術分野】
【０００１】
本発明は、ラケットのフレームに装着されてストリングとフレームとの接触を回避するグロメット及びかかるグロメットを用いたラケットに関する。
【背景技術】
【０００２】
テニスやバドミントンのラケットにおいては、特許文献１に開示されるように、ループ状に形成されたフレームを備え、フレームの内側にストリングが張設されて打球面（フェース）が形成される。また、フレームには、ストリングが挿通される孔が所定の間隔を隔てて多数形成される。各孔にはグロメットが装着され、グロメットの筒状部分（以下、「筒部」とする）が孔の内周面とストリングとの間に介在し、それらの接触を回避するようになっている。
【先行技術文献】
【特許文献】
【０００３】
【特許文献１】特表２０１２−５１７８７３号公報
【発明の概要】
【発明が解決しようとする課題】
【０００４】
グロメットにあっては、筒部が円筒状に形成され、その径方向の厚みが円筒の周方向で均一に形成される。また、ラケットによる打球時に、ストリングの撓みによりグロメットに力が作用してグロメットが変形し、該変形による復元力がストリングだけでなくストリングに接触するボールにも作用する。
【０００５】
ここで、本発明者は、筒部の厚みが薄くなる方が、打球時におけるストリング及び筒部の変形量が大きくなり、打球の飛び性能が向上する一方、筒部が厚くなる程、該変形量が小さくなって飛び性能が低下することを知見した。更には、本発明者は、筒部の内周面とストリングとが接触した状態において、筒部の厚みが厚くなる方が、打球時のストリングでの雑振動等を抑制して打球感が向上できる一方、筒部が薄くなる程、該雑振動を抑制し難くなることを知見した。つまり、筒部の厚さによる打球の飛び性能と、打球感の向上とはトレードオフの関係となるが、本発明者は鋭意検討を行うことで、飛び性能と打球感との両方を向上できる発明を案出したものである。
【０００６】
本発明は、かかる点に鑑みてなされたものであり、ラケットによる打球時の飛び性能を向上し、且つ、良好な打球感を得ることができるグロメット及びラケットを提供することを目的とする。
【課題を解決するための手段】
【０００７】
本発明における一態様のグロメットは、ラケットのフレームに形成された孔に貫通して装着されてストリングが通過する筒部を備えたグロメットにおいて、前記ストリングは、前記フレームに張設された状態で、前記筒部の一端側を折り返し位置として折り返され、前記筒部は、その外周面の中心軸位置に対して前記折り返し位置側に位置する第１形成部と、前記中心軸位置を挟んで前記第１形成部と反対側に位置する第２形成部とを備え、前記第１形成部は、前記第２形成部より前記筒部の径方向の厚みが大きく形成されることを特徴とする。
【０００８】
この構成によれば、ストリングが折り返されて接触する第１形成部に比べ、非接触となる第２形成部の厚みを小さくできる。第２形成部の厚みを小さくした分、打球時における筒部及びストリングの変形量を大きく確保でき、飛び性能を向上させることができる。しかも、ストリングが接触する第１形成部の厚みを大きくした分、打球時のストリングでの雑振動等を抑制でき、不快な感触が伝わることを防止して打球感を向上できる。このように、上記構成によって、トレードオフの関係にある飛び性能向上効果と、打球感向上効果とを同時に得ることができる。
【０００９】
また、本発明のグロメットにおいて、前記筒部は、その中心軸の延出方向から見て、内周及び外周を円形に形成しつつ、該内周の中心軸位置を該外周の中心軸位置より前記折り返し位置と反対側に配置することで、前記第１形成部及び前記第２形成部を形成するとよい。この構成によれば、筒部を単純で簡単な形状としつつ、第２形成部より第１形成部の厚みが大きい筒部を形成することができる。
【００１０】
また、本発明のグロメットにおいて、前記第１形成部と前記第２形成部とが異なる材質で構成されるとよい。この構成によれば、第１形成部と第２形成部との材質の相違によって剛性を異ならせることができ、筒部の厚みだけでなく材質によって飛び性能や打球感を変化させることができる。
【００１１】
また、本発明のグロメットにおいて、前記第１形成部と前記第２形成部とで前記筒部の軸線方向長さが異なって形成されるとよい。この構成によれば、第１形成部と第２形成部との長さを相違させて飛び性能や打球感を変化させることができる。
【００１２】
また、本発明のグロメットにおいて、前記筒部を複数として当該複数の筒部を連結しつつ所定方向に延在する帯状部を更に備え、複数の前記筒部における前記第１形成部及び前記第２形成部の形成位置は、前記帯状部の延在方向にて交互に異なるとよい。この構成によれば、ストリングの蛇行する張り上げ方向に応じて複数の筒部に第１形成部及び第２形成部を形成することができる。これにより、複数の筒部において、ストリングの折り返し位置と第１形成部及び第２形成部との位置関係を統一させ、複数本のストリングにて、言い換えると広範囲の打球面にて筒部による飛び性能及び打球感向上効果を得ることができる。
【００１３】
本発明における一態様のラケットは、前記筒部を複数備えた前記グロメットと、前記ストリングが縦方向及び横方向に張設されるフレームとを備えたラケットであって、前記フレームに形成された孔に前記筒部を貫通して前記グロメットが前記フレームに装着され、複数の前記筒部に前記ストリングが通過して張設されることを特徴とする。
【００１４】
また、本発明のラケットにおいて、複数の前記筒部のうち、縦方向に張設される前記ストリングが挿通される前記筒部に対し、前記第１形成部及び前記第２形成部が形成されるとよい。この構成によれば、飛び性能及び打球感への影響が大きい縦方向のストリングにて上述の効果を効率良く発揮させることができる。
【００１５】
また、本発明のラケットにおいて、前記フレームの中央領域を通過する前記ストリングが挿通される前記筒部に対し、前記第１形成部及び前記第２形成部が形成されるとよい。この構成によれば、いわゆるスイートスポットのストリングについて上述の効果を効率良く発揮させることができる。
【発明の効果】
【００１６】
本発明によれば、ストリングの折り返し位置側の第１形成部の方が第２形成部より大きい厚みに形成されるので、ラケットによる打球時の飛び性能を向上し、且つ、良好な打球感を得ることができる。
【図面の簡単な説明】
【００１７】
【図１】実施の形態に係るラケットの外観図であり、図１Ａは、前記ラケットの正面図、図１Ｂは、前記ラケットの側面図である。
【図２】フレームからグロメットを取り外した状態の説明用正面図である。
【図３】実施の形態におけるストリングの張設状態を模式的に表したラケットの部分正面断面図である。
【図４】図３のＡ−Ａ線断面図である。
【図５】図５Ａは、変形例に係るグロメットの要部断面図であり、図５Ｂは、他の変形例に係るグロメットの要部断面図である。
【００１８】
以下、本発明の実施の形態について図面を参照しながら具体的に説明する。なお、以下においては、本発明に係るグロメットを硬式テニス用のラケットに適用した例について説明するが、適用対象はこれに限定されることなく変更可能である。例えば、ソフトテニス用のテニスラケットや、スカッシュ用のラケット、バドミントン用のラケットなどに適用してもよい。
【００１９】
図１は、本発明の実施の形態に係るラケットの外観図であり、図１Ａは、前記ラケットの正面図、図１Ｂは、前記ラケットの側面図である。なお、以下の各図では、説明の便宜上、一部の構成を省略している。
【００２０】
図１に示すように、ラケット１０は、ボールを打つ部位であるヘッド１１と、プレーヤがラケット１０を把持する部位であるグリップ１２と、ヘッド１１とグリップ１２とを一体に連結するシャフト１３とを備えている。なお、以下の説明において、図１中矢印にて示すように、ラケット１０の長手方向を縦方向とし、この縦方向にてヘッド１１が位置する側を上側とし、グリップ１２が位置する側を下側とする。また、ラケット１０の打球面２２上において（即ち打球面２２に沿う平面上において）縦方向に直交する方向を横方向（あるいは、左右方向）とし、ラケット１０の打球面２２に直交する方向を表裏方向（あるいは、前後方向）とし、図１Ａの紙面手前側（図１Ｂの紙面左側）を表側とし、その反対側を裏側とする。
【００２１】
シャフト１３は、表裏方向から見て、グリップ１２からヘッド１１に向かって二股に分岐するスロート１５を備え、左右のスロート１５の間にはヘッド１１の一部を形成するヨーク１７が形成されている。ヨーク１７は後述するフレーム２０の下側を形成する。なお、シャフト１３は、これに限らず、二股に分岐しないものとしてもよい。
【００２２】
ヘッド１１は、縦方向に長い楕円形状のフレーム２０と、フレーム２０の内側に縦方向及び横方向に張設されたストリング２１とを備えている。ストリング２１は、フレーム２０の内側における表裏両面に打球面（フェース）２２を形成する。フレーム２０は、例えば繊維強化樹脂等からなる中空の筒状体を楕円形状に成形したものである。なお、フレーム２０は中空とせずに内部に発泡材を充填したり、木製或いは金属製としたりしてもよい。
【００２３】
フレーム２０の外周面２０ａには、表裏方向における中央部が両側部に比べて凹んだ溝部２０ｂが設けられている。溝部２０ｂは、フレーム２０の周方向に沿って連続して設けられている。また、フレーム２０には、貫通孔（孔）２３が設けられ、かかる貫通孔２３は、フレーム２０の溝部２０ｂの底側から内周面２０ｃまで貫通して形成されている。貫通孔２３は、フレーム２０の周方向に沿って複数設けられている。
【００２４】
図２は、フレームからグロメットを取り外した状態の説明用正面図である。図２にも示すように、フレーム２０には、その外周側から４体のグロメット２５〜２８が装着され、これらグロメット２５〜２８を介してストリング２１がフレーム２０に張設される。本実施の形態では、上側のグロメット２５は、図２のフレーム２０の正面視にて、約１０時方向の個所から約２時方向の個所に亘って設けられ、フレーム２０のトップ２０Ａ側を保護している。左右のグロメット２６、２７は、上側のグロメット２５の左右両端近傍からフレーム２０の左右の側面に形成された最下位の貫通孔２３に達する位置に亘って設けられている。また、下側のグロメット２８は、ヨーク１７に設けられている。なお、下側のグロメット２８を除く各グロメット２５〜２７は、各種条件に応じ、フレーム２０の周方向に沿う長さを変えてもよい。
【００２５】
各グロメット２５〜２８は、熱可塑性樹脂を射出成形した成形体とすることが例示できる。各グロメット２５〜２８は、フレーム２０の周方向に延在する帯状部３１と、この帯状部３１の一方の面となる裏面から突出する複数の筒部３２とを備えている。帯状部３１の前後幅は、溝部２０ｂの前後幅より大きく又は同一とされ、フレーム２０の前後幅より小さく設定されている。上側のグロメット２５にあっては、帯状部３１の前後幅がフレーム２０の前後幅と概略同一に形成されてフレーム２０のトップ２０Ａ側を保護している。
【００２６】
筒部３２は、帯状部３１側が基部とされ、基部と反対側の先端部がフレーム２０の外側から貫通孔２３に貫通される。この貫通によってグロメット２５〜２８がフレーム２０に装着され、この状態で、筒部３２の先端側は、フレーム２０の内周面２０ｃ側から内方に突出するように配設される。ここで、各筒部３２の内部空間は、ストリング２１を挿通する挿通路３３（図３参照）として形成される。なお、挿通路３３の内径寸法は、ストリング２１を通す作業性の都合上、ストリング２１の直径寸法より大きくなっている。
【００２７】
続いて、本実施の形態のストリング２１の張設要領について図３を参照して説明する。図３は、実施の形態におけるストリングの張設状態を模式的に表したラケットの部分正面断面図である。ここでは、フレーム２０の中央領域となるスイートスポットで縦方向に張設されるストリング２１、つまり、中央領域Ｓ（図１参照）内の縦糸となるストリング２１の張設要領について説明する。
【００２８】
図３に示すように、フレーム２０に縦糸となるストリング２１を張設する場合、例えば、矢印ａ１の位置及び方向から見ると、ストリング２１が筒部３２の先端側から基部側に挿通される。そして、かかる筒部３２の基部（一端側）でストリング２１が折り返され、フレーム２０の外側で帯状部３１の表面に沿って矢印ａ２の位置及び方向となる。続いて、横方向に隣り合う筒部３２の基部にてストリング２１が折り返され、筒部３２の基部側から先端側に挿通されて矢印ａ３の位置及び方向となり、フレーム２０の内側にて縦方向に延在される。
【００２９】
このような要領が縦糸を形成する１本のストリング２１にてフレーム２０の下側と上側とで交互に実施される。これにより、縦糸となるストリング２１は、複数の筒部３２内の挿通路３３にて挿通及び折り返しを繰り返して蛇行しながら横方向に延出する。このときの矢印ａ１〜ａ３方向を含むストリング２１の延出方向がストリング２１の張り上げ方向となる。
【００３０】
続いて、筒部３２の形成位置について以下に説明する。先ず、中央領域Ｓ内の縦糸となるストリング２１を張設する挿通路について説明する。
【００３１】
本実施の形態では、縦糸となるストリング２１の上下両側を挿通する筒部３２は、横方向を対称軸位置とした非対称位置及び非対称形状に形成されている。例えば、中央領域Ｓの左右方向中心位置Ｃａから右方向に１本目に位置する縦糸（ストリング２１）では、下側の筒部３２の方が上側の筒部３２より中心位置Ｃａ寄りとなる横方向にずれて位置している。また、かかる縦糸（ストリング２１）を挿通する筒部３２にて、上方（一方）の筒部３２では基部の左側が折り返し位置（例えば、図３の符号Ｆ１で示す位置）となる。これに対し、下方（他方）の筒部３２では基部の右側がストリング２１の折り返し位置（例えば、図３の符号Ｆ２で示す位置）となる。それら折り返し位置Ｆ１、Ｆ２は横方向にずれた位置に形成されており、そのずれ量Ｇ１は、ストリング２１の直径寸法Ｄと略同一に設定される。このため、縦糸となるストリング２１が縦方向と平行又は略平行に張設され、具体的には、ストリング２１の縦方向に対する傾き角度が０°以上０．２°以下の範囲内となるように張設される。ここで、ずれ量Ｇ１と直径寸法Ｄとが略同一とは、それらが同一となる場合の他、上記傾き角度が上記範囲内に収まる程度にずれる場合を含む意味である。
【００３２】
帯状部３１において、ストリング２１が表面に沿う領域に溝３１ａを形成し、且つ、ストリング２１が沿わない領域は溝３１ａを形成しない非形成領域３１ｂとする。
【００３３】
続いて、筒部３２の具体的構成について図３及び図４を参照して説明する。ここで、特許請求の範囲及び本明細書の説明において、特に明示しない限り、筒部３２における外周面の中心軸位置Ｃｂに対して折り返し位置Ｆ（Ｆ１、Ｆ２）側に位置する領域を第１形成部３５とする。また、中心軸位置Ｃｂを挟んで第１形成部３５と反対側に位置する領域を第２形成部３６とする。従って、筒部３２は、第１形成部３５と第２形成部３６とによって形成され、それらの境界位置（境界面）は中心軸位置Ｃｂを含んで表裏方向（図３中紙面直交方向）に沿う面とすることが例示できる。なお、かかる境界位置は上記に限定されるものでなく、中心軸位置Ｃｂを表裏方向に若干ずらしたり、第１形成部３５と第２形成部３６とが表裏方向に離れるように設定してもよい。
【００３４】
図４は、図３のＡ−Ａ線断面図である。図４では、筒部３２の中心軸位置Ｃｂの延出方向（図中紙面直交方向）から見た状態となる。図４に示すように、筒部３２にあっては、外周及び挿通路３３となる内周をそれぞれ円形に形成しているが、外周の中心軸位置Ｃｂに対し内周の中心軸位置Ｃｃは一致せずに折り返し位置Ｆの反対側となる横方向にずれている。つまり、筒部３２の外周と内周とは横方向に偏心した位置関係となり、中心軸位置Ｃｂを挟む横方向両側にて筒部３２の径方向の厚みが異なって形成される。かかる形状にて、筒部３２は、該筒部３２の径方向の厚みが大きく形成される方が第１形成部３５とされ、厚みが小さく形成される方が第２形成部３６とされる。言い換えると、筒部３２において、折り返し位置Ｆ側に位置する第１形成部３５は、その反対側に位置する第２形成部３６より筒部３２の径方向の厚みが大きく形成される。
【００３５】
ストリング２１が蛇行して張設されるため、ストリング２１の折り返し位置Ｆは左右に隣り合う筒部３２にて比べると左右反対側に位置するようになる。ここで、縦糸となるストリング２１を張設する筒部３２の形成領域において、帯状部３１は横方向に延在するので、該横方向にて第１形成部３５及び第２形成部３６の形成位置が交互に異なるように複数の筒部３２が形成されている。これにより、かかる複数の筒部３２それぞれにおいて、折り返し位置Ｆからフレーム２０の内側に延びるストリング２１に第１形成部３５が略線接触するようになる。
【００３６】
ここで、本実施の形態のラケット１０は、各グロメット２５〜２８において、複数の筒部３２を備えて構成されるが、上記の第１形成部３５及び第２形成部３６を備えた筒部３２は、その一部とされる。
【００３７】
具体例を挙げると、第１形成部３５及び第２形成部３６を備えた筒部３２は、縦糸となるストリング２１が挿通される筒部３２とされる。また、かかる筒部３２のうち、中央領域Ｓを通過するストリング２１が挿通される筒部３２に第１形成部３５及び第２形成部３６を形成する構成としてもよい。具体的には、縦糸となるストリング２１が１６本の場合、左右方向中央の１２本〜１４本の縦糸（ストリング２１）が挿通される筒部３２に第１形成部３５及び第２形成部３６が形成される。複数の筒部３２のうちの一部に第１形成部３５及び第２形成部３６を形成した場合、それ以外の筒部３２は、外周と内周との中心軸位置が一致し、その周方向に均一となる厚みに形成される。
【００３８】
本実施の形態におけるラケット１０にて打球した場合、縦方向に張設されたストリング２１が表裏方向や横方向の力を受けて撓むようになる。ストリング２１の撓みにより上下のグロメット２５、２８の筒部３２に力が加わって変形し、該変形による復元力がストリング２１に作用する。よって、撓んだストリング２１の復元力に加えて筒部３２の復元力がボールに作用し、これらの力によってボールが弾き飛び、また、スピン回転がかかるようになる。ここで、筒部３２における第２形成部３６の厚みを小さく形成したことで、ストリング２１の撓みによって筒部３２の可動量（変形量）を大きくでき、可動後に復元する筒部３２の弾性力も増大可能となる。これにより、ストリング２１を介してボールに伝わる筒部３２の弾性力を高めてボールに対する反発力、スピン量を増大でき、飛び性能やスピン性能等の打球性能を向上させることができる。
【００３９】
また、筒部３２内では折り返されたストリング２１が第１形成部３５の内面に接触しており、打球によってストリング２１を振動させる力が発生しても、かかる振動の発生を第１形成部３５で抑制することができる。筒部３２において、ストリング２１の接触領域を形成する第１形成部３５の厚みが大きく形成されるので、ストリング２１の振動を抑制する作用を強く発揮できるようになる。これにより、プレーヤにとって不快な雑振動が発生することを防止でき、ぼやけた打球感になることを回避することができる。
【００４０】
このような実施の形態によれば、筒部３２に第１形成部３５及び第２形成部３６を形成したので、上記のように飛び性能やスピン性能等の打球性能の向上と、打球感の向上とをバランス良く両立させることができる。これらは、筒部の厚みが均一となる従来構造では両立が困難なトレードオフの関係になっていたものである。本実施の形態の筒部３２にあっては、筒部３２の外周と内周とを偏心させて厚みを異ならせるシンプルな構造によって、上記トレードオフの関係を解消することができる。
【００４１】
また、筒部３２におけるストリング２１の折り返し位置Ｆ側は、ストリング２１の張設によって荷重が加わるだけでなく、打球回数が多数になることでストリング２１の離反及び衝突が繰り返されて摩耗し易い部分となる。本実施の形態の筒部３２では、ストリング２１の折り返し位置Ｆ側となる第１形成部３５の厚みを大きくしたので、ストリング２１の離反及び衝突が発生する部分の耐久性を高めて長期に亘る使用を実現することができる。
【００４２】
また、本実施の形態では、筒部３２の内面（挿通路３３の形成面）の延出方向と、縦糸となるストリング２１の延出方向とが縦方向で平行になる。これにより、ストリング２１が筒部３２の内面にて折り返し位置Ｆから筒部３２の先端に亘って略線接触しつつ、縦糸（ストリング２１）の両端側が主として折り返し位置Ｆで支持される状態となる。よって、筒部３２の先端側でストリング２１を屈曲させて張設する状態に比べ、打球時に撓み変形するストリング２１の長さを概ね筒部３２の長さ分延長でき、飛び性能を向上することができる。しかも、ストリング２１が筒部３２の第１形成部３５内面に略線接触するので、ストリング２１の振動が第１形成部３５にて効果的に抑制され、打球感の向上を図ることもできる。
【００４３】
また、複数の筒部３２における第１形成部３５及び第２形成部３６の形成位置が帯状部３１の延在方向にて交互に異なっているので、それぞれの筒部３２にて折り返し位置Ｆを第１形成部３５にすることができる。これにより、上述した筒部３２による効果を、複数本の縦糸（ストリング２１）で得ることができ、ひいては、打球面２２の広範囲で上述の効果を得ることができる。
【００４４】
また、縦糸となるストリング２１は飛び性能及び打球感への影響が大きくなるので、縦糸となるストリング２１が挿通される筒部３２に対し第１形成部３５及び第２形成部３６を形成したことで、上述の効果を効率良く発揮させることができる。更に、中央領域Ｓを通過するストリング２１が挿通される筒部３２に第１形成部３５及び第２形成部３６を形成したことで、上述の効果をより効率良く発揮できるようになる。
【００４５】
なお、本発明は上記実施の形態に限定されず、種々変更して実施することが可能である。上記実施の形態において、添付図面に図示されている大きさや形状、方向などについては、これに限定されず、本発明の効果を発揮する範囲内で適宜変更することが可能である。その他、本発明の目的の範囲を逸脱しない限りにおいて適宜変更して実施することが可能である。
【００４６】
例えば、縦糸となるストリング２１及びこれを挿通する筒部３２について図示、説明したが、横糸となるストリング２１及びこれを左右両側で挿通する筒部３２についても、向きを縦方向から横方向に９０°変更しただけで同様の構成を採用できる。この構成においても、筒部３２におけるストリング２１の折り返し位置Ｆ側に第１形成部３５が形成される。
【００４７】
図５Ａは、変形例に係るグロメットの要部断面図であり、図５Ｂは、他の変形例に係るグロメットの要部断面図である。図５Ａに示すように、第１形成部３５と第２形成部３６とで筒部３２の軸線長さが異なるように形成してもよい。図５Ａでは、第１形成部３５が第２形成部３６より軸線長さが長くなっているが、第２形成部３６の方を長く形成してもよい。
【００４８】
また、図５Ｂに示すように、筒部３２の第１形成部３５及び第２形成部３６を異なる材質で構成してもよい。図５Ｂの構成では、例えば、いわゆる二色成形法によって、第１形成部３５を形成する型内と第２形成部３６を形成する型内とで異なる樹脂材を注入して、材質を異なるようにしている。これにより、第１形成部３５及び第２形成部３６の何れか一方を相対的に高剛性、何れか他方を相対的に低剛性としている。
【００４９】
図５Ａ、図５Ｂの筒部３２の構成によって、第２形成部３６に比べて第１形成部３５の剛性を相違させることができ、打球時の飛び性能及び打球感が向上することが期待できる。ここで、上述の変形例では、飛び性能等が抑制される可能性があるが、フレーム２０やシャフト１３の構造や材質等による打球性能と相俟ってラケット１０全体としてバランスの良い性能を発揮するよう設計可能となる。
【産業上の利用可能性】
【００５０】
本発明は、ラケットによる打球時の飛び性能を向上し、且つ、良好な打球感を得ることができるグロメット及びこれを用いたラケットに関する。
【符号の説明】
【００５１】
１０  ラケット
２０  フレーム
２１  ストリング
２３  貫通孔（孔）
２５〜２８  グロメット
３１  帯状部
３２  筒部
３３  挿通路
３５  第１形成部
３６  第２形成部
Ｃｂ  中心軸位置
Ｃｃ  中心軸位置
Ｓ  中央領域
【図１】
2020141994.tif 000003
【図２】
2020141994.tif 000004
【図３】
2020141994.tif 000005
【図４】
2020141994.tif 000006
【図５】
2020141994.tif 000007